(57)【要約】【課題】ペットの感情を数値化した値を、例えば、地域毎のその平均値と比較してペットの異常を検出する。【解決手段】複数のペット管理コンピュータ４の各々が、ペットの感情を検出する感情センサ５１を備え、感情センサ５１の出力に基づく感情情報を管理サーバ１に送信する。管理サーバ１が、受信した感情情報の平均値を算出し、受信した感情情報と平均値とを比較し、比較の結果に基づいて、受信した感情情報の中で平均値と所定の値以上に異なる感情情報の送信元であるペット管理コンピュータ４に、その旨を通知する。【選択図】図１
2005073589.tif 000002
【特許請求の範囲】
【請求項１】
管理サーバと、
ネットワークを介して前記管理サーバに接続される複数のペット管理コンピュータとからなり、
前記複数のペット管理コンピュータの各々が、ペットの感情を検出する感情センサを備え、前記感情センサの出力に基づく感情情報を前記管理サーバに送信し、
前記管理サーバが、前記複数のペット管理コンピュータの各々から前記感情情報を受信し、前記受信した感情情報の平均値を算出し、前記受信した感情情報と前記平均値とを比較し、前記比較の結果に基づいて、前記受信した感情情報の中で前記平均値と所定の値以上に異なる感情情報の送信元であるペット管理コンピュータに、その旨を通知する
ことを特徴とするペット管理システム。
【請求項２】
前記感情センサは、ペットの鳴き声を解析することにより、ペットの精神的な状態を推定する鳴き声解析装置である
ことを特徴とする請求項１記載のペット管理システム。
【請求項３】
前記ペット管理コンピュータが、前記感情情報を、当該感情センサに付与されたぺットＩＤと共に、前記管理サーバに送信する
ことを特徴とする請求項１記載のペット管理システム。
【請求項４】
前記管理サーバが、前記感情情報の平均値を所定の地域毎に算出し、当該地域に属するペット管理コンピュータから受信した感情情報と前記平均値とを比較する
ことを特徴とする請求項１記載のペット管理システム。
【請求項５】
前記管理サーバが、更に、前記感情情報の地域毎の平均値を、所定の動物毎、その種類毎、性別毎、年齢毎、季節毎、時刻毎に算出し、同一の属性を有するペット管理コンピュータから受信した感情情報と前記平均値とを比較する
ことを特徴とする請求項４記載のペット管理システム。
【請求項６】
前記管理サーバが、前記感情情報の平均値を算出する時刻の間隔を、昼間は数分間隔とし、夜間は数時間間隔とし、
前記複数のペット管理コンピュータの各々が、当該間隔で前記感情センサの出力に基づく感情情報を前記管理サーバに送信する
ことを特徴とする請求項１記載のペット管理システム。
【請求項７】
前記管理サーバが、更に、前記複数のペット管理コンピュータの各々から受信した前記感情情報と前記算出した感情情報の平均値と、入力されたイベント情報とを比較し、両者の相関関係を求める
ことを特徴とする請求項１記載のペット管理システム。
【請求項８】
ネットワークを介して複数のペット管理コンピュータと接続されるペット管理装置であって、
ペットの感情を検出する感情センサを備える複数のペット管理コンピュータの各々が出力する前記感情センサの出力に基づく感情情報を受信し、前記受信した感情情報の平均値を算出する手段と、
前記受信した感情情報と前記平均値とを比較し、前記比較の結果に基づいて、前記受信した感情情報の中で前記平均値と所定の値以上に異なる感情情報の送信元であるペット管理コンピュータに、その旨を通知する手段とを備える
ことを特徴とするペット管理装置。
【請求項９】
ネットワークを介して複数のペット管理コンピュータに接続される管理サーバにおけるペット管理方法において、
前記複数のペット管理コンピュータの各々から送信されたペットの感情を検出する感情センサの出力に基づく感情情報を受信し、
前記複数のペット管理コンピュータの各々から受信した感情情報の平均値を算出し、
前記受信した感情情報と前記平均値とを比較し、
前記比較の結果に基づいて、前記受信した感情情報の中で前記平均値と所定の値以上に異なる感情情報の送信元であるペット管理コンピュータに対して、その旨を通知する
ことを特徴とするペット管理方法。
【発明の詳細な説明】
【技術分野】
【０００１】
本発明は、ペット管理システム、ペット管理装置、ペット管理方法に関し、特に、ペットの感情を数値化した値を所定の分類毎に算出したその平均値と比較してペットの異常を検出するペット管理システム、ペット管理装置、ペット管理方法に関する。
【背景技術】
【０００２】
犬や猫等のペットを飼っている飼い主は、ペットが鳴いている場合、ペットの鳴き方、行動、体調等が気にかかることが多い。そこで、外見だけからではなく、ペットの体調等を知りたいと思うことがある。例えば、飼い主が旅行等に出かける場合ペットを預けるいわゆるペットホテルにおいて、ビデオカメラ、心拍センサ、体温センサ、動体センサ等によりペットの状態を検出して、そのデータをホストコンピュータに送信し、更に、飼い主に通知する技術が知られている（特許文献１参照）。
【０００３】
また、犬の鳴き声のデータベース（ＤＢ）を用意して、これを用いて犬の鳴き声を解析して、即ち、犬の感情をその鳴き方から推定して、人間の音声に変換して出力することにより飼い主に知らせる装置が市販されている。
【特許文献１】特開２００２−３４３７７号公報
【発明の開示】
【発明が解決しようとする課題】
【０００４】
ペットの飼い主にとって、ペットが鳴いている場合、ペットの鳴き方、行動、体調等が、同種のペットと比較して正常か異常かが判らないので、不安な場合があり、ペットの管理が難しい場合がある。また、ペットが鳴いているからといって、異常か否かについてペットの飼い主同士が連絡を取り合うことは殆ど無く、また、それだけでは獣医にも問い合わせ難い。
【０００５】
一方、ペットは、自然現象を敏感に察知して鳴いたり、人工的な行事等に起因して鳴いたりすることもある。例えば、ペットは、地磁気の乱れを敏感に感じて落ち着かなかったり、気温が高くて不機嫌だったりすることがある。このような場合は、ペットが鳴いているからといっても、そのペットに異常がある訳ではない。また、花火大会等が開催される場合や、雷の場合も、その音でペットが鳴いても異常がある訳ではない。
【０００６】
本発明の目的は、ペットの感情を数値化した値をその平均値と比較してペットの異常を検出するペット管理システムを提供することにある。
【０００７】
また、本発明の目的は、ペットの感情を数値化した値をその平均値と比較してペットの異常を検出するペット管理装置を提供することにある。
【０００８】
また、本発明の目的は、ペットの感情を数値化した値をその平均値と比較してペットの異常を検出するペット管理方法を提供することにある。
【課題を解決するための手段】
【０００９】
本発明のペット管理システムは、管理サーバと、ネットワークを介して前記管理サーバに接続される複数のペット管理コンピュータとからなる。前記複数のペット管理コンピュータの各々が、ペットの感情を検出する感情センサを備え、前記感情センサの出力に基づく感情情報を前記管理サーバに送信する。前記管理サーバが、前記複数のペット管理コンピュータの各々から前記感情情報を受信し、前記受信した感情情報の平均値を算出し、前記受信した感情情報と前記平均値とを比較し、前記比較の結果に基づいて、前記受信した感情情報の中で前記平均値と所定の値以上に異なる感情情報の送信元であるペット管理コンピュータに、その旨を通知する。
【００１０】
本発明のペット管理装置は、ネットワークを介して複数のペット管理コンピュータと接続されるペット管理装置であって、ペットの感情を検出する感情センサを備える複数のペット管理コンピュータの各々が出力する前記感情センサの出力に基づく感情情報を受信し、前記受信した感情情報の平均値を算出する手段と、前記受信した感情情報と前記平均値とを比較し、前記比較の結果に基づいて、前記受信した感情情報の中で前記平均値と所定の値以上に異なる感情情報の送信元であるペット管理コンピュータに、その旨を通知する手段とを備える。
【００１１】
本発明のペット管理方法は、ネットワークを介して複数のペット管理コンピュータに接続される管理サーバにおけるペット管理方法において、前記複数のペット管理コンピュータの各々から送信されたペットの感情を検出する感情センサの出力に基づく感情情報を受信し、前記複数のペット管理コンピュータの各々から受信した感情情報の平均値を算出し、前記受信した感情情報と前記平均値とを比較し、前記比較の結果に基づいて、前記受信した感情情報の中で前記平均値と所定の値以上に異なる感情情報の送信元であるペット管理コンピュータに対して、その旨を通知する。
【発明の効果】
【００１２】
本発明のペット管理システム、ペット管理装置、ペット管理方法によれば、ペットの感情を検出する感情センサにより、ペットの感情を数値化した値（感情情報）をその平均値と比較して、所定の値以上に異なる場合にペットの異常を検出する。これにより、ペットが人間には感じることができない地磁気の乱れや気温が高い等の自然現象を敏感に察知して鳴いたり、花火大会等の人工的な行事や雷鳴等に起因して鳴いたりすることがあっても、ペットの飼い主は、ペットの飼い主同士で連絡を取り合ったり獣医に問い合わせたりすることなく、ペットの鳴き方等が他のペットと比較して正常か異常かを知ることができるので、不安を解消することができ、ペットの管理を容易に行うことができる。
【発明を実施するための最良の形態】
【００１３】
図１は、ペット管理システム構成図であり、本発明のペット管理装置を含むペット管理システムの構成を示す。
【００１４】
ペット管理システムは、図１に示すように、ペット管理装置である管理サーバ１と、ネットワーク３を介して管理サーバ１に接続される複数のペット管理コンピュータ４とからなる。ネットワーク３は、例えばインターネット３からなる。管理サーバ１は、例えば管理用のコンピュータ、サーバ等からなり、当該ペット管理サービスを提供する事業者、例えば、ＩＳＰ（インターネットサービスプロバイダ）又はＡＳＰ（アプリケーションサービスプロバイダ）に設けられる。ペット管理コンピュータ４は、例えばパーソナルコンピュータからなり、当該ペット管理サービスを受けるペットの飼い主の例えば自宅等に設けられる。
【００１５】
複数のペット管理コンピュータ４の各々は、管理サーバ１との間で当該ペット管理サービスを受ける契約を結ぶと、例えば、当該サービスの開始に先立って、管理対象であるペットについての属性情報（ペット属性）を、管理サーバ１に送信する。ペット属性は、図２（Ａ）に示すように、例えば、「山陰」のようなそのペットの飼われている地域、「犬」のような動物名、「シェルティ」のような種類、「オス」のような性別、「３才」のような年齢からなる。地域としては、実際には、より詳細な情報（例えば、「鳥取市」等）が送信される。管理サーバ１により、ペット属性（即ち、ペット）毎に、「ａａａ１」（図２（Ｂ）参照）のような当該ペット管理システムにおいてユニークなＩＤ（以下、ペットＩＤとも言う）が割り当てられる。
【００１６】
複数のペット管理コンピュータ４の各々は、ペット毎に感情センサ５１を備える。従って、感情センサ５１毎に、管理サーバ１によりＩＤが付与されることになる。ペット管理コンピュータ４は、原則として１匹のペットに対応するが、複数のペットに対応してもよい。この場合、ペット毎に感情センサ５１が用意され、ＩＤが割り当てられる。従って、ペット管理コンピュータ４は当該ペットの頭数分の複数のＩＤを管理する。これにより、複数のペットを管理することができる。
【００１７】
この例では、複数のペット管理コンピュータ４の各々は、感情センサ５１を含む複数のセンサ５をペット毎に備える。従って、ＩＤは、当該ペットに対応する複数のセンサ５に対して共通である。複数のセンサ５は、例えば、感情センサ５１、体温センサ５２、脈拍センサ５３、血圧センサ５４からなる。これらのセンサ５は、図示しないが、例えば当該ペットの首輪に取り付けられることにより、管理の対象であるペットの体に常時装着される。これらのセンサ５は、周知の無線通信により、対応するペット管理コンピュータ４に、各々の検出結果（出力）を送信する。
【００１８】
感情センサ５１はペットの感情を検出する。具体的には、感情センサ５１は鳴き声解析装置である。感情センサ５１としては、例えば商品名バウリンガル（株式会社タカラの登録商標）がある。例えば、感情センサ５１は、動物感情分析システムであり、ペットの鳴き声（声紋）を採取し、事前に収集されたペットの鳴き声に関する多数のデータ（声紋の蓄積）に基づいて当該採取したペットの鳴き声を解析（声紋分析）することにより、ペットの精神的な状態を推定する。なお、ペットの精神的な状態を知らせるための音声による出力は省略してもよい。また、体温を検出する体温センサ５２、脈拍を検出する脈拍センサ５３、血圧を検出する血圧センサ５４も市販されている。
【００１９】
ペット管理コンピュータ４は、複数のセンサ５の各々からの出力を受信し、センサ５の各々に応じた処理を行う。即ち、感情センサ５１、体温センサ５２、脈拍センサ５３及び血圧センサ５４の出力から、各々、感情情報、体温、脈拍及び血圧を得る。
【００２０】
ペット管理コンピュータ４は、感情センサ５１の出力を鳴き声解析処理部４１に送り、解析処理を依頼する。これに応じて、鳴き声解析処理部４１は、感情センサ５１の出力である鳴き声（声紋）の解析を行って、その結果として感情情報を生成する。従って、鳴き声解析処理部４１は、ペット管理コンピュータ４に設けられるが、感情センサ５１の一部を構成すると考えてもよく、また、感情センサ５１のペットに装着される部分は例えばマイク及びワイヤレス音声伝送装置からなる。
【００２１】
以上により、ペット管理コンピュータ４は、図２（Ｂ）に示すように、ＩＤ、月日、時刻、感情情報、体温、脈拍、血圧からなる（１個の）ペット逐次情報を作成し、一時的に保存する。ＩＤ「ａａａ１」は管理サーバ１から当該センサ５（即ち、ペット）に付与されたものである。月日「４月５日」及び時刻「８時〜９時」はペット管理コンピュータ４の備えるタイマ（図示せず）から得られる。時刻はペットを観測する単位時間（時間の幅）であり、実際は、後述するように、数分程度であり、また、例えば観測終了の時刻（例えば、８時〜９時における９時）のみからなる。
【００２２】
ペット管理コンピュータ４は、感情情報については当該時刻の範囲における鳴き声の解析結果の蓄積をペット逐次情報とする。このために、感情センサ５１は、ペットが鳴くとその都度その鳴き声を採取して送信する。一方、体温、脈拍及び血圧については、例えば当該時刻の最後におけるセンサ５の出力をペット逐次情報とする。このために、体温センサ５２、脈拍センサ５３、血圧センサ５４は、例えば、ペットを観測する単位時間の最小の間隔（例えば、３分）に１回の割合でその出力を送信する。ペット管理コンピュータ４は、当該単位時間における最新の値をペット逐次情報として採用し、管理サーバ１に送信する。
【００２３】
感情情報は、図２（Ｂ）に示すように、例えば「悲しい」「フラスト」「威嚇」「要求」「楽しい」「自己表現」の各項目からなる。例えば、「悲しい」と言う項目が「４」である場合、ＩＤ「ａａａ１」を持つペットは、「４月５日」の「８時〜９時」の間に、悲しくて「４回」鳴いたことが判る。ペットが鳴く毎に、その声紋が感情センサ５１により採取され鳴き声解析処理部４１により解析され、その結果悲しくて鳴いたと推定されると、感情情報の項目「悲しい」が「１（回）」と鳴き声解析処理部４１から出力され（悲しくて（１回）鳴いたと分析され）、これに基づいて、ペット管理コンピュータ４により当該項目「悲しい」が「＋１（回）」カウントアップされる。他の項目についても同様である。
【００２４】
ペット管理コンピュータ４は、管理サーバ１との間で通信を行い、ペット逐次情報の送受信を行なう。即ち、ペット管理コンピュータ４は、インターネット３を介して、センサ５の出力を、当該ペット管理コンピュータ４に付与されたＩＤと共に、管理サーバ１に送信する。即ち、感情センサ５１等のセンサ５の出力に基づいて作成し一時的に格納した図２（Ｂ）に示すペット逐次情報を、後述するように、例えばペットを観測する単位時間の経過する毎に定期的に送信する。
【００２５】
管理サーバ１は、ペット管理コンピュータ４の各々から送信されたペット属性を受信し、これに「ａａａ１」のようなＩＤを付与した上で、格納装置（記憶装置）２の所定の位置に格納する。また、管理サーバ１は、付与したＩＤを当該ペット属性の送信元であるペット管理コンピュータ４に送信する。
【００２６】
管理サーバ１は、ペット管理コンピュータ４の各々から送信された感情センサ５１の出力に基づく感情情報を含むペット逐次情報を受信し、その都度格納する。このために、管理サーバ１は格納装置２にペット逐次情報を格納するセンサデータテーブル２１を備える。センサデータテーブル２１の一例を図３に示す。
【００２７】
センサデータテーブル２１において、同一のＩＤ（例えば、「ａａａ１」）を持つ複数のペット逐次情報がその観測の時刻の順に連続して格納され、時間の経過と共に順次蓄積され、これに同一のＩＤを持つペット属性が対応させられる。これにより、１個のペット管理情報が作成され（逐次追加され）管理される。
【００２８】
ここで、管理サーバ１が、後述するように、感情情報の平均値を算出する時刻の間隔を、昼間及び夕方（例えば、５時〜２１時）は数分間隔とし、夜間は数時間間隔とするように予め定める。これは、例えばＩＤの通知と共に、管理サーバ１から複数のペット管理コンピュータ４の各々に通知すれば良い。これに合わせて、複数のペット管理コンピュータ４の各々は、感情センサ５１の出力に基づく感情情報を含むペット逐次情報を当該間隔で作成し、管理サーバ１に送信する。これにより、管理サーバ１において、当該間隔で感情センサ５１の出力に基づく感情情報が得られる。具体的には、当該間隔を、ペットの活動は昼間及び夕方は活発であるので約３分〜１０分程度とし、夜間はペットの活動も少ないので約１時間〜３時間程度とすれば良い。夜行性のペットを管理する場合には、逆とすれば良い。なお、図３では、図示の簡単のため、当該間隔を一律に１時間刻みとしており、脈拍及び血圧は体温と同様であるのでその図示を省略している（図４（Ｂ）において同じ）。
【００２９】
管理サーバ１は、感情センサ５１の出力の平均値を算出し、受信した感情センサ５１の出力の各々と平均値とを比較する。この時、当該平均値を日本全国について算出したのでは、地磁気の乱れ、フェーン現象による気温上昇、花火大会、雷鳴等に対応することができない。即ち、これらの現象は、通常、地域を限って生じるものであり、これらをペットが敏感に感じ取って鳴いたとしても、当該ペットが特に異常な訳ではない。そこで、このような地域的な要因によって当該地域のペットに生じる状態を異常と検出しないために、この例では、管理サーバ１は、感情センサ５１の出力の平均値を所定の地域毎に算出し、当該地域に属するペット管理コンピュータ４から受信した感情センサ５１の出力と前記平均値とを比較する。
【００３０】
更に、実際には、管理サーバ１は、感情センサ５１の出力の平均値を所定の動物（名）毎、その種類毎、性別毎、年齢毎、季節毎（実際には、月毎）に算出する。即ち、動物毎、その種類毎、性別毎、年齢毎、季節毎に、同じ現象に対する感じ方が異なると考えられる。例えば、花火大会があると、猫よりも犬の方が多く鳴く傾向にあり、また、成犬よりも小犬の方が多く鳴く傾向にある。そこで、このような要因によってペットに生じる差異を異常と検出しないために、この例では、管理サーバ１は、感情センサ５１の出力の平均値を、地域毎に加えて、動物毎、その種類毎、性別毎、年齢毎、季節毎にも算出する。
【００３１】
以上から、結果的に、図４（Ａ）に示すように、管理サーバ１は、感情センサ５１の出力の平均値を所定の地域毎、動物毎、その種類毎、性別毎、年齢毎、季節毎、時刻毎に算出し、同一の属性を有するペット管理コンピュータ４から受信した感情センサ５１の出力と前記平均値とを比較する。例えば、「山陰」で飼われている「犬」の「シェルティ」の「オス」で「３才」の集合についての平均値（例えば、４月５日の１０時〜１１時とする）が、図４（Ｂ）に示すように、算出される。この平均値も、その算出の都度、当該分類毎にその算出の順に格納装置２の所定の位置に格納（蓄積）され管理される。
【００３２】
地域については、複数の（広さの）レベルの分類が用意される。例えば、「山陰」のような大きな分類では、花火大会等については当該地域のペットに生じる状態を正しく検出できない。そこで、地域については、「全国」「中国」「山陰」「鳥取県」「鳥取地方」「鳥取市」等の複数のレベルが用意される。従って、感情センサ５１の出力の平均値は、「犬」の「シェルティ」の「オス」で「３才」について、「全国」〜「鳥取市」の各々について算出される。動物は例えば「犬」「猫」等が用意され、例えば「犬」の種類は「シェルティ」「秋田犬」等が用意され、性別は「オス」「メス」が用意され、年齢は１才毎とされ、時刻は前述の時刻の間隔毎とされる。
【００３３】
管理サーバ１は、このように算出された平均値を、同一のペット属性を有するペットの感情情報と比較する。例えば、図３に示すＩＤ「ａａａ１」を有するペットは、図４（Ｂ）の平均値と同一のペット属性を有する。そこで、ＩＤ「ａａａ１」の感情情報が図４（Ｂ）の平均値と比較される。この結果、感情情報の項目「悲しい」について、ＩＤ「ａａａ１」の値「５（回）」が平均値「４（回）」を（５−４）／４×１００＝２５％上回っていることが判る。同様に、項目「要求」について、ＩＤ「ａａａ１」の値「７（回）」が平均値「６（回）」を１７％上回っていることが判る。
【００３４】
管理サーバ１は、このような比較の結果に基づいて、受信した感情情報の中で前記平均値と所定の値（閾値）以上に異なる（即ち、外れている）感情情報の送信元であるペット管理コンピュータ４に、その旨を通知する。ここで、閾値は、例えば「２０％」のように、経験的に予め所定の割合に定められる。この場合、平均値の８０％以下の場合及び１２０％以上の場合が通知の対象となる。閾値は、変更可能であり、また、感情情報の項目毎に異なる値としてもよい。
【００３５】
この通知のために、管理サーバ１は、図５（Ａ）及び図５（Ｂ）に示すように、所定の警告画面を作成して、当該ペット管理コンピュータ４に送信する。例えば、前述の図３に示すＩＤ「ａａａ１」を有するペットは、図４（Ｂ）との比較の結果、感情情報の項目「悲しい」について、平均値「４」を２５％上回っている。そこで、管理サーバ１は、当該ＩＤのペット属性をセンサデータテーブル２１から取得して、これを予め用意した警告画面の雛型の所定の位置に当てはめる。雛型は、図５（Ａ）において下線部を空白とした画面である。所定の位置は図５（Ａ）における下線部である。例えば、第１下線部には動物の「種類」（ここでは、シェルティ）、第５下線部には当該閾値（ここでは、２０％）を当てはめることが予め定められる。第３下線部の「感情」の名前（ここでは、悲しみ）に対応づけて、第６下線部の「注意書き」の内容（ここでは、心当たり）が定められている。これにより、図５（Ａ）の警告画面を得る。
【００３６】
一方、ＩＤ「ａａａ１」を有するペットは、前述のように、項目「要求」について、平均値「６（回）」を１７％上回っているが、閾値２０％に達しないので、警告画面は送信しない。同様に、他のペットについても、例えば、図５（Ｂ）に示すように、警告画面を作成して送信する。また、警告画面に代えて、異常がないことを表示する画面を送信するようにしても良い。また、１個のＩＤについて複数の感情情報の項目が閾値を超えている場合、各々の項目毎に警告画面を作成しても、１個の警告画面に複数の警告を表示するようにしても良い。
【００３７】
図６は、ペット管理処理フローであり、本発明のペット管理コンピュータ４におけるペット管理情報処理を示す。なお、図６における符号Ａ乃至Ｄは、図７における当該符号に対応し、両図に関連する処理の流れを示している。
【００３８】
ペット管理コンピュータ４が、最初に、図２（Ａ）に示す地域等のペット属性を管理サーバ１に送信する（ステップＳ１１）。即ち、ペットの飼い主が、管理対象であるペットについて、地域等のペット属性をペット管理コンピュータ４に入力し、管理サーバ１に送信する。ペット管理コンピュータ４は、この送信に応じて管理サーバ１から送信されたＩＤ（ペットＩＤ）を受信して、図２（Ｂ）に示す記憶領域を獲得して格納する（ステップＳ１２）。これにより、ペット管理サービスが開始される。
【００３９】
ペット管理コンピュータ４は、感情センサ５１等のセンサ５からその出力を受信して（ステップＳ１３）、これらを図２（Ｂ）に示す記憶領域の所定の位置に格納する（上書きする）。この時、ペット管理コンピュータ４は、感情センサ５１からの出力については、鳴き声解析処理部４１による解析の結果に基づいて、感情情報の各々の項目についてカウントアップすべきか否かを調べ（ステップＳ１４）、カウントアップすべき場合、図２（Ｂ）に示す記憶領域における当該項目を＋１カウントアップし（ステップＳ１５）、そうでない場合、ステップＳ１５を省略する。
【００４０】
この後、ペット管理コンピュータ４は、そのタイマから（年）月日及び時刻を取得して（ステップＳ１６）、ペット逐次情報の送信時刻か否かを調べ（ステップＳ１７）、送信時刻でない場合、ステップＳ１３以下を繰り返す。送信時刻である場合、ペット管理コンピュータ４は、取得した月日及び時刻を図２（Ｂ）に示す記憶領域の所定の位置に格納した上で、その時点で図２（Ｂ）に示す記憶領域に格納されているペット逐次情報を、管理サーバ１に送信する（ステップＳ１８）。
【００４１】
この後、ペット管理コンピュータ４は、管理サーバ１からの通知（警告画面）の有無を調べる（ステップＳ１９）。通知がある場合、ペット管理コンピュータ４は、当該通知に基づいて、当該警告画面を表示して（ステップＳ１１０）、ステップＳ１３以下を繰り返す。通知が無い場合、ステップＳ１１０を省略して、ステップＳ１３以下を繰り返す。
【００４２】
図７は、ペット管理処理フローであり、本発明の管理サーバ１におけるペット管理情報処理を示す。
【００４３】
管理サーバ１は、ペット管理コンピュータ４から送信された図２（Ａ）に示すペット属性を受信すると（ステップＳ２１）、これにペットＩＤを付与し、このＩＤを当該ペット管理コンピュータ４に送信した後（ステップＳ２２）、当該ＩＤについてのセンサデータテーブル２１を作成して、ペット属性（及びＩＤ）を、図３に示すように、センサデータテーブル２１に格納する（ステップＳ２３）。
【００４４】
この後、当該ペット管理コンピュータ４に対するペット管理サービスが開始され、管理サーバ１は、ペット管理コンピュータ４から送信された図２（Ｂ）に示すペット逐次情報（及びＩＤ）を受信すると、図３に示すように、センサデータテーブル２１に格納する（ステップＳ２４）。この後、管理サーバ１は、当該ＩＤに従って、図４（Ａ）に示すように当該ペット逐次情報を分類して、この分類毎に、その時点での感情情報の各項目についての平均値を算出して（ステップＳ２５）、当該最新の平均値と受信したペット逐次情報の感情情報の各項目のデータとを比較する（ステップＳ２６）。
【００４５】
そして、管理サーバ１は、当該比較の結果に基づいて、感情情報の各項目について平均値から閾値以上、例えば２０％以上外れているか否かを調べ（ステップＳ２７）、外れている場合、図５に示すような当該項目についての警告画面を作成して、ペット管理コンピュータ４に通知する（ステップＳ２８）。外れていない場合、管理サーバ１は、ステップＳ２８を省略して、ステップＳ２４以下を繰り返す。
【００４６】
以上、本発明をその実施の態様により説明したが、本発明はその主旨の範囲内において種々の変形が可能である。
【００４７】
例えば、管理サーバ１が、更に、データ解析処理部１１を備えるようにしても良い。データ解析処理部１１は、格納装置２に蓄積した複数のペット管理コンピュータ４の各々から受信した感情情報及び感情情報の平均値と、入力されたイベント情報とを比較し、両者の相関関係を求める。例えば、イベント情報としてある地域の地震のデータを入力する。地震の前兆現象として当該地域で地磁気又は地電流の異常が生じるとして、これをペットが敏感に「フラスト」として感じて鳴いたとする。この場合、地震の前にペットの「フラスト」の平均値が相当に上昇すると言う相関関係が得られる。これを複数の地域について長時間に渡って繰り返し解析することにより、地震の予知をある程度の確かさを持って行うことができる。
【産業上の利用可能性】
【００４８】
以上、説明したように、本発明によれば、ペット管理システム及びペット管理方法において、ペットの感情を検出する感情センサによりペットの感情を数値化した値をその平均値と比較して、所定の値以上に異なる場合にペットの異常を検出する。これにより、ペットが地磁気の乱れや気温が高い等の自然現象を敏感に察知して鳴いたり、雷鳴あるいは花火大会等の人工的な行事等に起因して鳴いたりすることがあっても、ペットの飼い主は、ペットの飼い主同士で連絡を取り合ったり獣医に問い合わせたりすることなく、ペットの鳴き方等が他のペットと比較して正常か異常かを知ることができるので、不安を解消することができ、ペットの管理を容易に行うことができる。
【図面の簡単な説明】
【００４９】
【図１】ペット管理システム構成図である。
【図２】ペット管理システム説明図である。
【図３】ペット管理システム説明図である。
【図４】ペット管理システム説明図である。
【図５】ペット管理システム説明図である。
【図６】ペット管理処理フローである。
【図７】ペット管理処理フローである。
【符号の説明】
【００５０】
１    管理サーバ（ペット管理装置）
２    格納装置
３    ネットワーク（インターネット）
４    ペット管理コンピュータ
５    センサ
５１    感情センサ
【図１】
2005073589.tif 000003
【図２】
2005073589.tif 000004
【図３】
2005073589.tif 000005
【図４】
2005073589.tif 000006
【図５】
2005073589.tif 000007
【図６】
2005073589.tif 000008
【図７】
2005073589.tif 000009